(57)【要約】      （修正有）【課題】書類等の出し入れが容易で、且つ、綴じ書類を垂直にし見易く掲示を行う事が出来る掲示用ホルダーを提供する。【解決手段】透明又は半透明の樹脂シートを二つ折りにして折り線と直交する下辺６を固着し、前面シート１は上辺４が下辺６より狭く台形をなし、斜形をなす右辺開口部７は、側縁を折り返して二重合わせとし溶着等で固着し膨らみ部８を形成、又は前面シート１の斜形をなす右辺開口部７の側縁の裏側に断面が半月状の緩衝材を固着、前面シート１の膨らみ部８又は緩衝材の曲面が後面シート２との衝合において接地前後に隙間が在る。【選択図】図５
0003161048.tif 000002
【実用新案登録請求の範囲】
【請求項１】
透明、又は半透明の樹脂シートを二つ折りにして折り線と直交する下辺を固着し、前面シートは上辺が下辺より狭く台形をなし、斜形をなす右辺開口部は切り欠き部を除き側縁を折り返して二重合わせとし、二重合わせの側縁は溶着等で固着し膨らみを形成したところを特徴とする掲示用ホルダー。
【請求項２】
前記の他に掲示用ホルダー前面シートの斜形をなす右辺開口部は、切り欠き部を除く側縁に適宜に固定用穴を設け前面シート表側にゴム状樹脂の緩衝繋止材を備え固定用穴を通して前面シート裏側に断面が半月状の緩衝材を固着したところを特徴とする請求項１に記載の掲示用ホルダー。
【請求項３】
掲示用ホルダーの開口部は、前記掲示用ホルダーの他に対称になる、斜形をなす左辺開口部を有する掲示用ホルダーも含む事を特徴とする請求項１に記載の掲示用ホルダー。
【請求項４】
前記掲示用ホルダー上辺部にパンチ孔を設けた請求項１に記載の掲示用ホルダー。
【考案の詳細な説明】
【技術分野】
【０００１】  本考案は、書類等の出し入れを容易にし、且つ見やすく、掲示手段を備えた掲示用ホルダーに関するものである。
【背景技術】
【０００２】  従来ホルダー（又はファイル）は、書類の整理、保管、移動等に多く使用されている。ホルダーに入れた書類はその保全が確かである事が、それぞれの役割を容易にしている。【０００３】  一般にホルダーは透明又は半透明の樹脂シートを二つ折りにして、折り線と直交する一辺を固着し、且つ、折り線の対向辺、開放縁部の前面シート側縁に切り欠き部を設け構成されている。切り欠き部と同位置の後面シートを指でつまみ重なっている前面シートを押し開き書類等をホルダーに収めている。収めた書類はホルダーから出さずに内容を把握でき整理、分類に役立っている。
【先行技術文献】
【特許文献】
【０００４】  特願  ２００９−２３２８１３
【考案の概要】
【考案が解決しようとする課題】
【０００５】  前記のようにホルダーは広く普及し活用され用途も多岐にわたり使用されているが、従来の使用方法と異なる形態も見られる。ホルダーに書類を頻繁に出し入れしたり、ホルダーに入れた書類を掲示、又は書類を入れたホルダーを綴じ置くような用途の場合、形状の変態が求められ解決課題を有している。
【課題を解決するための手段】
【０００６】  本考案は、上記課題を解決する具体的手段として、透明又は半透明の樹脂シートを二つ折りにして、折り線と直交する下辺を固着し、前面シートは上辺が下辺より狭く台形をなし、斜形をなす右辺開口部は切り欠き部を除き側縁を折り返して二重合わせとし、二重合わせの側縁は溶着等で固着し曲面状の膨らみを形成、後面シートとは膨らみ部の曲面で衝合しその前後に隙間が出来、又は前記膨らみ部の他に前面シートの斜形をなす右辺開口部の切り欠き部を除く側縁の裏側に、断面が半月状で軟質ゴム状の樹脂緩衝材を固着し、後面シートとは緩衝材の曲面で衝合しその前後に隙間が出来る様にし、尚且つ、上辺部にパンチ孔を設けた構成にしたことを特徴とする掲示用ホルダーを提供するものである。【０００７】  本考案に係わる掲示用ホルダーについては、前記掲示用ホルダーのほかに対称になる、透明又は半透明の樹脂シートを二つ折りにした折線を右側にして折り線と直交する下辺を固着し、前面シートは上辺が下辺より狭く台形をなし、斜形をなす左辺開口部に切り欠き部を除き曲面状の膨らみを形成、又は、前面シートの切り欠き部を除く側縁の裏側に断面が半月状で軟質ゴム状の樹脂緩衝材を固着し、且つ、上辺部にパンチ孔を設けた構成にした事も含むものである。
【考案の効果】
【０００８】  上述のように、前面シートの斜形をなす開口部は、膨らみ部又は緩衝材の曲面が後面シートとの衝合においてその前後に隙間が在り、開口部を開く場合指先を当てたとき隙間に入り込み開く切っ掛けとなり、又前面シートの側縁が後面シートの側縁より強靭で両シートの間に力を加えた場合前面シートは状況を維持し、後面シートは外側に開き書類の出し入れは容易で通常使用の場合開口部後面シートを下方向に手を添えただけで開き、従来のホルダーにおける切り欠き部を必要とせず、書類を持った手でホルダーに書類の出し入れが出来、且つ、頻繁に出し入れする事も容易である。【０００９】  また、前記掲示用ホルダー上辺部に設けたパンチ孔は書類の掲示、綴じ置き用に供し、掲示用ホルダーのパンチ孔を以って吊り下げ状にし、垂直に位置する掲示用ホルダーの掲示書類は見易く書類の出し入れが容易であると共に、且つ、机上において複数の掲示用ホルダーを綴じ書類の分類整理等に広く利用できる。
【図面の簡単な説明】
【００１０】
【図１】    本考案の掲示用ホルダーの一実施例を示す斜視図である。
【図２】    本考案の掲示用ホルダーの一実施例を示す斜視図である。一部破断線で切った部分は前面シート側縁を図示する。
【図３】    図１のホルダーＡＡ線における断面図を示している。また破線で囲むホルダーの右辺開口部の膨らみ部付近の構造を拡大して表示している。
【図４】    図２のホルダーＢＢ線における断面図を示している。また破線で囲むホルダーの右辺開口部の半月状の緩衝材付近の構造を拡大して表示している。
【図５】    使用例の説明図である。
【考案を実施するための形態】
【００１１】  掲示用ホルダーに書類の出し入れをするとき前面シートの開口部は、後面シートと曲面で衝合しその前後に隙間があり、開口部を開く場合初動作において開く切っ掛けとなり、又前面シートの側縁が後面シートの側縁より強靭で両シートの間に力を加えた場合、前面シートは状況を維持し後面シートは外側に開き書類等の出し入れは容易で、書類を持った手を開口部に添え後面シートを下方向え押すだけで開き書類の頻繁の出し入れにも対応できるのである。
【００１２】  前記掲示用ホルダーの上辺部にパンチ孔を設け、該パンチ孔は掲示用と綴じ置き用に供するものである。掲示用ホルダーの使用状態は図５に示した通りで前記公知技術  特願２００９−２３２８１３  固定板と組み合わせ、掲示用ホルダーをパンチ孔を以って固定板に綴じ垂直に位置し固定、書類の見易さ出し入れの容易さを有効に利用出来る。また、前記固定板と組み合わせ（図示せず）机上において複数の掲示用ホルダーをパンチ孔を以って固定板に綴じ書類の出し入れ易さ等を合わせ分類整理等に利用出来る。
【実施例】
【００１３】  本考案に係わる掲示用ホルダー１０の使用状態で、図示した開口部７は前面シート１側縁の膨らみ部８又は緩衝材８ａの曲面が後面シート２との衝合において膨らみ部８又は緩衝材８ａの接地前後に図３図４に示すＡＡ線ＢＢ線断面図に見るように隙間が在り、開口部を開く時の開く切っ掛けをつくり、又前面シート１の側縁が後面シート２の側縁より強靭で両シートの間に力を加えた場合前面シート１は状況を維持し後面シート２は外側に開き、開口部７を開く場合後面シート２に手を下方向え添えただけで開き、書類の出し入れは容易である。【００１４】  次に、書類の掲示、綴じ置きの効果を一層高める具体的手段として前記公知技術  特願２００９−２３２８１３  固定版を用い、掲示用ホルダー１０は使用状態を図５に示した通り垂直に位置するよう吊り下げ状態にし、ホルダーを固定する綴じリング２１を備えた固定版２０の綴じリング２１にパンチ孔３を以って綴じ掲示用にしたもので車中等で出し入れの多い地図、運行表等を見易くしたものである。【００１５】  前記綴じリング２１を備えた固定版２０を掲示用ホルダー１０の綴じ置き用として、机上において複数の掲示用ホルダーを綴じ、書類の出し入れ易さ等を合わせて分類整理等に役立っている。【００１６】  尚且つ、書類の出し入れが容易な掲示用ホルダー１０を、掲示書類より大きめなものにし、予め綴じ置き固定、書類の頻繁な出し入れ、見易い掲示を広く利用出来るものである。
【符号の説明】
【００１７】１      前面シート
２      後面シート
３      パンチ孔
３ａ    固定穴
４      上辺
５      左辺
６      下辺
７      右辺開口部
８      膨らみ部
８ａ    緩衝材
９      切り欠き部
１０    ホルダー
２０    固定板
２１    綴じ具リング
【図１】
0003161048.tif 000003
【図２】
0003161048.tif 000004
【図３】
0003161048.tif 000005
【図４】
0003161048.tif 000006
【図５】
0003161048.tif 000007
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
透明、又は半透明の樹脂シートを二つ折りにして折り線と直交する下辺を固着し、前面シートは上辺が下辺より狭く台形をなし、斜形をなす右辺開口部は切り欠き部を除き側縁を折り返して二重合わせとし、二重合わせの側縁は溶着等で固着し膨らみを形成したところを特徴とする掲示用ホルダー。
【請求項２】
請求項１記載の掲示用ホルダーにおいて、斜形をなす右辺開口部は切り欠き部を除く側縁に沿うように適宜に固定用穴を設け、該前面シート表側側縁にゴム状樹脂の緩衝繋止材を備え、固定用穴を通して前面シート裏側に断面が半月状の緩衝材を固着したところを特徴とする掲示用ホルダー。
【請求項３】
透明、又は半透明の樹脂シートを二つ折りにして折り線と直交する下辺を固着し、前面シートは上辺が下辺より狭く台形をなし、斜形をなす左辺開口部は切り欠き部を除き側縁を折り返して二重合わせとし、二重合わせの側縁は溶着等で固着し膨らみを形成したところを特徴とする掲示用ホルダー。
【請求項４】
請求項１記載の掲示用ホルダーにおいて、斜形をなす左辺開口部は切り欠き部を除く側縁に沿うように適宜に固定用穴を設け、該前面シート表側側縁にゴム状樹脂の緩衝繋止材を備え、固定用穴を通して前面シート裏側に断面が半月状の緩衝材を固着したところを特徴とする掲示用ホルダー。
【請求項５】
請求項１記載の掲示用ホルダー上辺部にパンチ孔を設けたことを特徴とする掲示用ホルダー。
【請求項６】
請求項２記載の掲示用ホルダー上辺部にパンチ孔を設けたことを特徴とする掲示用ホルダー。
【請求項７】
請求項３記載の掲示用ホルダー上辺部にパンチ孔を設けたことを特徴とする掲示用ホルダー。
【請求項８】
請求項４記載の掲示用ホルダー上辺部にパンチ孔を設けたことを特徴とする掲示用ホルダー。